【手続補正書】
【提出日】平成22年6月16日(2010.6.16)
【手続補正１】
【補正対象書類名】特許請求の範囲
【補正対象項目名】全文
【補正方法】変更
【補正の内容】
【特許請求の範囲】
【請求項１】
圧接する２つの回転体の接触部分を、該回転体の回転により所定の長さをもつ転写材を搬送する搬送装置を２つ以上有する画像形成装置において、
該２つの搬送装置は、それぞれの接触部分間の距離が、該転写材の搬送方向の長さよりも短い位置関係に設置されており、
該回転体の回転駆動力を発生するひとつ以上駆動源と、それぞれの搬送装置には該駆動源によって発生される回転駆動力をそれぞれの搬送装置の該回転体に伝達する回転伝達機構を有し、
少なくとも前記回転伝達機構の一つは、前記駆動源の回転駆動力を回転体に伝達する少なくとも一対の互いに噛合った第一及び第二のはすば歯車を備えており、
前記第一及び第二のはすば歯車は、該転写材搬送時に他の搬送装置との線速差に起因して回転伝達機構の負荷トルクが増大する際に、該第一及び第二のはすば歯車に作用するスラスト方向の力により第一のはすば歯車に対して第二のはすば歯車がその回転軸方向に沿って移動されるように、それぞれ設けられており、
前記第二のはすば歯車の一方の端面に向かって付勢する第一の弾性部材と、前記第二のはすば歯車の他方の端面に向かって付勢する第二の弾性部材を有するとともに、
前記第一のはすば歯車の前記回転軸方向における長さが、前記第二のはすば歯車の前記回転軸方向における長さよりも長い、
ことを特徴とする画像形成装置。
【請求項２】
転写材にトナー画像を２つの回転体で圧接搬送し、転写する転写搬送装置と、転写部に転写材を所定のタイミングで搬送するレジスト搬送装置を有する画像形成装置において、
前記転写搬送装置と前記レジスト搬送装置は、それぞれの接触部分間の距離が、該転写材の搬送方向の長さよりも短い位置関係に設置されており、
前記レジスト搬送装置の回転伝達機構は、駆動源の回転駆動力を回転体に伝達する少なくとも一対の互いに噛合った第一及び第二のはすば歯車を備えており、
前記第一及び第二のはすば歯車は、該転写材搬送時に転写搬送装置との線速差に起因して回転伝達機構の負荷トルクが増大する際に、前記第一及び第二のはすば歯車に作用するスラスト方向の力により第一のはすば歯車に対して第二のはすば歯車がその回転軸方向に沿って移動されるように、それぞれ設けられており、
前記第二のはすば歯車の一方の端面に向かって付勢する第一の弾性部材と、前記第二のはすば歯車の他方の端面に向かって付勢する第二の弾性部材を有するとともに、
前記第一のはすば歯車の前記回転軸方向における長さが、前記第二のはすば歯車の前記回転軸方向における長さよりも長い、
ことを特徴とする画像形成装置。
【請求項３】
転写材にトナー画像を２つの回転体で圧接搬送し、転写する転写搬送装置と、転写された転写材上のトナー画像を２つの回転体で圧接搬送して定着する定着搬送装置を有する画像形成装置において、
前記転写搬送装置と前記定着搬送装置は、それぞれの接触部分間の距離が、前記転写材の搬送方向の長さよりも短い位置関係に設置されており、
前記定着搬送装置の回転伝達機構は、駆動源の回転駆動力を回転体に伝達する少なくとも一対の互いに噛合った第一及び第二のはすば歯車を備えており、
第一及び第二のはすば歯車は、該転写材搬送時に転写搬送装置との線速差に起因して回転伝達機構の負荷トルクが増大する際に、
該第一及び第二のはすば歯車に作用するスラスト方向の力により第一のはすば歯車に対して第二のはすば歯車がその回転軸方向に沿って移動されるように、それぞれ設けられており、
前記第二のはすば歯車の一方の端面に向かって付勢する第一の弾性部材と、前記第二のはすば歯車の他方の端面に向かって付勢する第二の弾性部材を有するとともに、
前記第一のはすば歯車の前記回転軸方向における長さが、前記第二のはすば歯車の前記回転軸方向における長さよりも長い、
ことを特徴とする画像形成装置。
【請求項４】
転写材にトナー画像を２つの回転体で圧接搬送し、転写する転写搬送装置と、転写された転写材上のトナー画像を２つの回転体で圧接搬送して定着する定着搬送装置と、転写部に転写材を所定のタイミングで搬送するレジスト搬送装置を有する画像形成装置において、
該転写搬送装置と該定着搬送装置は、それぞれの接触部分間の距離が、該転写材の搬送方向の長さよりも短い位置関係に設置されており、
該定着搬送装置とレジスト搬送装置の回転駆動力を発生する１つの駆動源と、それぞれの搬送装置には該駆動源によって発生される回転駆動力を該回転体に伝達する回転伝達機構を有しており、
前記定着搬送装置及び前記レジスト搬送装置の回転伝達機構は、前記駆動源の回転駆動力を回転体に伝達する少なくとも一対の互いに噛合った第一及び第二のはすば歯車を備えており、
前記第一及び第二のはすば歯車は、該転写材搬送時に転写搬送装置との線速差に起因して回転伝達機構の負荷トルクが増大する際に、前記第一及び第二のはすば歯車に作用するスラスト方向の力により前記第一のはすば歯車に対して第二のはすば歯車がその回転軸方向に沿って移動されるように、それぞれ設けられており、
前記第二のはすば歯車の一方の端面に向かって付勢する第一の弾性部材と、前記第二のはすば歯車の他方の端面に向かって付勢する第二の弾性部材を有するとともに、
前記第一のはすば歯車の前記回転軸方向における長さが、前記第二のはすば歯車の前記回転軸方向における長さよりも長い、
ことを特徴とする画像形成装置。
【請求項５】
請求項１から４のいずれかに記載の画像形成装置において、前記第二のはすば歯車の回転軸方向の任意の位置に移動及び固定可能な弾性部材保持機構を有することを特徴とする画像形成装置。
【請求項６】
請求項１から５のいずれかに記載の画像形成装置において、前記第二のはすば歯車の回転軸方向に沿う移動により、該回転軸方向の任意の位置に該第二のはすば歯車が到達したことを認識する検知手段を有し、
該検知手段により前記第二のはすば歯車の到達を検知すると、前記駆動源の平均回転速度を変更することを特徴とする画像形成装置。
【請求項７】
請求項１から６のいずれかに記載の画像形成装置において、前記第二のはすば歯車の回転軸方向の移動を一時的に規制する規制手段を有することを特徴とする画像形成装置。
【請求項８】
請求項７に記載の画像形成装置において、前記第二のはすば歯車の移動を一時的に規制する時間を、転写材の搬送経路上に設置された転写材検出手段の出力に基づいて行うことを特徴とする画像形成装置。
【手続補正２】
【補正対象書類名】明細書
【補正対象項目名】００２２
【補正方法】変更
【補正の内容】
【００２２】
本発明の画像形成装置のうち請求項１に係るものは、前記目的を達成するために、圧接する２つの回転体の接触部分を、該回転体の回転により所定の長さをもつ転写材を搬送する搬送装置を２つ以上有する画像形成装置において、
該２つの搬送装置は、それぞれの接触部分間の距離が、該転写材の搬送方向の長さよりも短い位置関係に設置されており、
該回転体の回転駆動力を発生するひとつ以上駆動源と、それぞれの搬送装置には該駆動源によって発生される回転駆動力をそれぞれの搬送装置の該回転体に伝達する回転伝達機構を有し、
少なくとも前記回転伝達機構の一つは、前記駆動源の回転駆動力を回転体に伝達する少なくとも一対の互いに噛合った第一及び第二のはすば歯車を備えており、
前記第一及び第二のはすば歯車は、該転写材搬送時に他の搬送装置との線速差に起因して回転伝達機構の負荷トルクが増大する際に、該第一及び第二のはすば歯車に作用するスラスト方向の力により第一のはすば歯車に対して第二のはすば歯車がその回転軸方向に沿って移動されるように、それぞれ設けられており、
前記第二のはすば歯車の一方の端面に向かって付勢する第一の弾性部材と、前記第二のはすば歯車の他方の端面に向かって付勢する第二の弾性部材を有するとともに、
前記第一のはすば歯車の前記回転軸方向における長さが、前記第二のはすば歯車の前記回転軸方向における長さよりも長い、
ことを特徴とする。
【手続補正３】
【補正対象書類名】明細書
【補正対象項目名】００２３
【補正方法】変更
【補正の内容】
【００２３】
請求項２に係るものは、転写材にトナー画像を２つの回転体で圧接搬送し、転写する転写搬送装置と、転写部に転写材を所定のタイミングで搬送するレジスト搬送装置を有する画像形成装置において、
前記転写搬送装置と前記レジスト搬送装置は、それぞれの接触部分間の距離が、該転写材の搬送方向の長さよりも短い位置関係に設置されており、
前記レジスト搬送装置の回転伝達機構は、駆動源の回転駆動力を回転体に伝達する少なくとも一対の互いに噛合った第一及び第二のはすば歯車を備えており、
前記第一及び第二のはすば歯車は、該転写材搬送時に転写搬送装置との線速差に起因して回転伝達機構の負荷トルクが増大する際に、前記第一及び第二のはすば歯車に作用するスラスト方向の力により第一のはすば歯車に対して第二のはすば歯車がその回転軸方向に沿って移動されるように、それぞれ設けられており、
前記第二のはすば歯車の一方の端面に向かって付勢する第一の弾性部材と、前記第二のはすば歯車の他方の端面に向かって付勢する第二の弾性部材を有するとともに、
前記第一のはすば歯車の前記回転軸方向における長さが、前記第二のはすば歯車の前記回転軸方向における長さよりも長い、
ことを特徴とする。
【手続補正４】
【補正対象書類名】明細書
【補正対象項目名】００２４
【補正方法】変更
【補正の内容】
【００２４】
請求項３に係るものは、転写材にトナー画像を２つの回転体で圧接搬送し、転写する転写搬送装置と、転写された転写材上のトナー画像を２つの回転体で圧接搬送して定着する定着搬送装置を有する画像形成装置において、
前記転写搬送装置と前記定着搬送装置は、それぞれの接触部分間の距離が、前記転写材の搬送方向の長さよりも短い位置関係に設置されており、
前記定着搬送装置の回転伝達機構は、駆動源の回転駆動力を回転体に伝達する少なくとも一対の互いに噛合った第一及び第二のはすば歯車を備えており、
第一及び第二のはすば歯車は、該転写材搬送時に転写搬送装置との線速差に起因して回転伝達機構の負荷トルクが増大する際に、
該第一及び第二のはすば歯車に作用するスラスト方向の力により第一のはすば歯車に対して第二のはすば歯車がその回転軸方向に沿って移動されるように、それぞれ設けられており、
前記第二のはすば歯車の一方の端面に向かって付勢する第一の弾性部材と、前記第二のはすば歯車の他方の端面に向かって付勢する第二の弾性部材を有するとともに、
前記第一のはすば歯車の前記回転軸方向における長さが、前記第二のはすば歯車の前記回転軸方向における長さよりも長い、
ことを特徴とする。
【手続補正５】
【補正対象書類名】明細書
【補正対象項目名】００２５
【補正方法】変更
【補正の内容】
【００２５】
請求項４に係るものは、転写材にトナー画像を２つの回転体で圧接搬送し、転写する転写搬送装置と、転写された転写材上のトナー画像を２つの回転体で圧接搬送して定着する定着搬送装置と、転写部に転写材を所定のタイミングで搬送するレジスト搬送装置を有する画像形成装置において、
該転写搬送装置と該定着搬送装置は、それぞれの接触部分間の距離が、該転写材の搬送方向の長さよりも短い位置関係に設置されており、
該定着搬送装置とレジスト搬送装置の回転駆動力を発生する１つの駆動源と、それぞれの搬送装置には該駆動源によって発生される回転駆動力を該回転体に伝達する回転伝達機構を有しており、
前記定着搬送装置及び前記レジスト搬送装置の回転伝達機構は、前記駆動源の回転駆動力を回転体に伝達する少なくとも一対の互いに噛合った第一及び第二のはすば歯車を備えており、
前記第一及び第二のはすば歯車は、該転写材搬送時に転写搬送装置との線速差に起因して回転伝達機構の負荷トルクが増大する際に、前記第一及び第二のはすば歯車に作用するスラスト方向の力により前記第一のはすば歯車に対して第二のはすば歯車がその回転軸方向に沿って移動されるように、それぞれ設けられており、
前記第二のはすば歯車の一方の端面に向かって付勢する第一の弾性部材と、前記第二のはすば歯車の他方の端面に向かって付勢する第二の弾性部材を有するとともに、
前記第一のはすば歯車の前記回転軸方向における長さが、前記第二のはすば歯車の前記回転軸方向における長さよりも長い、
ことを特徴とする。
【手続補正６】
【補正対象書類名】明細書
【補正対象項目名】００２６
【補正方法】変更
【補正の内容】
【００２６】
請求項５に係るものは、請求項１から４のいずれかに記載の画像形成装置において、前記第二のはすば歯車の回転軸方向の任意の位置に移動及び固定可能な弾性部材保持機構を有することを特徴とする。
【手続補正７】
【補正対象書類名】明細書
【補正対象項目名】００２７
【補正方法】変更
【補正の内容】
【００２７】
請求項６に係るものは、請求項１から５のいずれかに記載の画像形成装置において、前記第二のはすば歯車の回転軸方向に沿う移動により、該回転軸方向の任意の位置に該第二のはすば歯車が到達したことを認識する検知手段を有し、
該検知手段により前記第二のはすば歯車の到達を検知すると、前記駆動源の平均回転速度を変更することを特徴とする。
【手続補正８】
【補正対象書類名】明細書
【補正対象項目名】００２８
【補正方法】変更
【補正の内容】
【００２８】
請求項７に係るものは、請求項１から６のいずれかに記載の画像形成装置において、前記第二のはすば歯車の回転軸方向の移動を一時的に規制する規制手段を有することを特徴とする。
【手続補正９】
【補正対象書類名】明細書
【補正対象項目名】００２９
【補正方法】変更
【補正の内容】
【００２９】
請求項８に係るものは、請求項７に記載の画像形成装置において、前記第二のはすば歯車の移動を一時的に規制する時間を、転写材の搬送経路上に設置された転写材検出手段の出力に基づいて行うことを特徴とする。
【手続補正１０】
【補正対象書類名】明細書
【補正対象項目名】００３０
【補正方法】削除
【補正の内容】